(57)【特許請求の範囲】
【請求項１】
発電機の出力電流を求める電力変換装置であって、
前記発電機の回転数を取得する回転数取得手段と、
前記発電機の出力電圧を計測する電圧計測手段と、
前記発電機の回転数と、当該発電機の出力電圧と、当該発電機の出力電流と、の関係に関する情報を記憶する記憶手段と、
前記記憶手段に記憶された情報と、前記回転数取得手段により取得された前記発電機の回転数と、に基づいて、当該発電機の最大電力点電流を求めるとともに、前記記憶手段に記憶された情報と、前記回転数取得手段により取得された前記発電機の回転数と、前記電圧計測手段により計測された当該発電機の出力電圧と、に基づいて、当該発電機の出力電流を求める電流導出手段と、
前記発電機と負荷とを断続するスイッチ素子のデューティ比を設定するデューティ比設定手段と、
前記デューティ比設定手段により設定されたデューティ比に基づいて前記スイッチ素子のオンオフを制御して、前記発電機の出力電力を最大電力点に追従させるスイッチ素子制御手段と、を備え、
前記デューティ比設定手段は、
前記電流導出手段により求められた前記発電機の出力電流を目標電流から減算して差分電流を求め、当該差分電流を用いて前記スイッチ素子のデューティ比の補正値を算出するとともに、
前記電流導出手段により求められた前記発電機の出力電流が、当該電流導出手段により求められた当該発電機の最大電力点電流より小さい場合には、前記スイッチ素子のデューティ比に前記補正値を加算して、加算結果を当該スイッチ素子のデューティ比として設定し、
前記電流導出手段により求められた前記発電機の出力電流が、当該電流導出手段により求められた当該発電機の最大電力点電流より大きい場合には、前記スイッチ素子のデューティ比から前記補正値を減算して、減算結果を当該スイッチ素子のデューティ比として設定することを特徴とする電力変換装置。
【請求項２】
前記記憶手段に記憶された情報は、前記発電機の回転数と、当該発電機の出力電圧と、当該発電機の出力電流と、をマッピングしたデータであることを特徴とする請求項１に記載の電力変換装置。
【請求項３】
前記記憶手段に記憶された情報は、前記発電機の回転数と、当該発電機の出力電圧と、当該発電機の出力電流と、の関係を示す関数であることを特徴とする請求項１に記載の電力変換装置。
【請求項４】
前記回転数取得手段は、前記発電機から出力される当該発電機の回転数に関する情報を受信し、当該受信した情報に基づいて、当該発電機の回転数を取得することを特徴とする請求項１乃至３のいずれかに記載の電力変換装置。
【請求項５】
前記発電機は、交流電力を発電する交流発電機であり、
前記回転数取得手段は、前記電圧計測手段により計測された出力電圧に基づいて、前記発電機の回転数を取得することを特徴とする請求項１乃至３のいずれかに記載の電力変換装置。
【発明の詳細な説明】
【技術分野】
【０００１】
本発明は、発電機の出力電流を求める電力変換装置に関する。
【背景技術】
【０００２】
従来より、発電機の発電効率を向上させる手法が提案されている（例えば、特許文献１参照）。特許文献１に記載の手法では、発電機の出力電圧および出力電流を計測し、これらの計測結果から最大電力点を求め、求めた最大電力点に発電機の出力電力を追従させる。
【先行技術文献】
【特許文献】
【０００３】
【特許文献１】特開２００３−１６７６０３号公報
【発明の概要】
【発明が解決しようとする課題】
【０００４】
特許文献１に記載の手法では、発電機の周辺に、発電機の出力電圧を計測する手段と、発電機の出力電流を計測する手段と、を設ける必要がある。ここで、発電機の出力電流を計測する手段を用いることなく、発電機の出力電流を求めることができれば、発電機の周辺回路の構成を簡略化できる。
【０００５】
そこで、本発明は、上述の課題に鑑みてなされたものであり、発電機の出力電流を計測する手段を備えることなく、発電機の出力電流を求めることのできる、電力変換装置を提供することを目的とする。
【課題を解決するための手段】
【０００６】
本発明は、上述の課題を解決するために、以下の事項を提案している。
（１）  本発明は、発電機の出力電流を求める電力変換装置であって、前記発電機の回転数を取得する回転数取得手段と、前記発電機の出力電圧を計測する電圧計測手段と、前記発電機の回転数と、当該発電機の出力電圧と、当該発電機の出力電流と、の関係に関する情報を記憶する記憶手段と、前記記憶手段に記憶された情報と、前記回転数取得手段により取得された前記発電機の回転数と、前記電圧計測手段により計測された当該発電機の出力電圧と、に基づいて、当該発電機の出力電流を求める電流導出手段と、を備えることを特徴とする電力変換装置を提案している。
【０００７】
ここで、発電機の回転数と、発電機の出力電圧と、発電機の出力電流と、の間には相関関係があり（例えば、後述の図４参照）、この相関関係を用いることで、発電機の回転数と、発電機の出力電圧と、から発電機の出力電流を一意に求めることができる。
【０００８】
そこで、この発明によれば、発電機の出力電流を求める電力変換装置に、回転数取得手段、電圧計測手段、記憶手段、および電流導出手段を設けた。そして、回転数取得手段により、発電機の回転数を取得し、電圧計測手段により、発電機の出力電圧を計測することとした。また、記憶手段により、発電機の回転数と、発電機の出力電圧と、発電機の出力電流と、の関係に関する情報を記憶することとした。さらに、電流導出手段により、記憶手段に記憶された情報と、回転数取得手段により取得された発電機の回転数と、電圧計測手段により計測された発電機の出力電圧と、に基づいて、発電機の出力電流を求めることとした。
【０００９】
このため、電流検出ＩＣ（Ｉｎｔｅｇｒａｔｅｄ  Ｃｉｒｃｕｉｔ）や電流検出回路といった、発電機の電流を計測する手段を備えることなく、発電機の出力電流を求めることができる。したがって、電力変換装置の小型化、軽量化、および低コスト化を実現できる。
【００１０】
（２）  本発明は、（１）の電力変換装置について、前記記憶手段に記憶された情報は、前記発電機の回転数と、当該発電機の出力電圧と、当該発電機の出力電流と、をマッピングしたデータであることを特徴とする電力変換装置を提案している。
【００１１】
この発明によれば、（１）の電力変換装置において、記憶手段に記憶された情報は、発電機の回転数と、発電機の出力電圧と、発電機の出力電流と、をマッピングしたデータであることとした。このため、上述のマッピングしたデータを参照することで、発電機の回転数と、発電機の出力電圧と、から発電機の出力電流を一意に求めることができる。
【００１２】
（３）  本発明は、（１）の電力変換装置について、前記記憶手段に記憶された情報は、前記発電機の回転数と、当該発電機の出力電圧と、当該発電機の出力電流と、の関係を示す関数であることを特徴とする電力変換装置を提案している。
【００１３】
この発明によれば、（１）の電力変換装置において、記憶手段に記憶された情報は、発電機の回転数と、発電機の出力電圧と、発電機の出力電流と、の関係を示す関数であることとした。このため、発電機の回転数と、発電機の出力電圧と、を上述の関数に代入することで、発電機の出力電流を一意に求めることができる。
【００１４】
（４）  本発明は、（１）〜（３）のいずれかの電力変換装置について、前記回転数取得手段は、前記発電機から出力される当該発電機の回転数に関する情報を受信し、当該受信した情報に基づいて、当該発電機の回転数を取得することを特徴とする電力変換装置を提案している。
【００１５】
この発明によれば、（１）〜（３）のいずれかの電力変換装置において、回転数取得手段は、発電機から出力される発電機の回転数に関する情報を受信し、受信した情報に基づいて、発電機の回転数を取得することとした。このため、発電機の回転数を取得して、発電機の出力電流を求めることができる。
【００１６】
（５）  本発明は、（１）〜（３）のいずれかの電力変換装置について、前記発電機は、交流電力を発電する交流発電機であり、前記回転数取得手段は、前記電圧計測手段により計測された出力電圧に基づいて、前記発電機の回転数を取得することを特徴とする電力変換装置を提案している。
【００１７】
この発明によれば、（１）〜（３）のいずれかの電力変換装置において、発電機は、交流電力を発電する交流発電機であって、回転数取得手段は、電圧計測手段により計測された出力電圧に基づいて、発電機の回転数を取得することとした。このため、発電機の回転数を取得して、発電機の出力電流を求めることができる。
【００１８】
（６）  本発明は、（１）〜（５）のいずれかの電力変換装置について、前記発電機と負荷とを断続するスイッチ素子と、前記発電機の最大電力点における電流と、前記電流導出手段により求められた当該発電機の出力電流と、に基づいて前記スイッチ素子を制御する制御手段と、を備えることを特徴とする電力変換装置を提案している。
【００１９】
この発明によれば、（１）〜（５）のいずれかの電力変換装置に、発電機と負荷とを断続するスイッチ素子と、制御手段と、を設けた。そして、制御手段により、発電機の最大電力点における電流である最大電力点電流と、電流導出手段により求められた発電機の出力電流と、に基づいて、スイッチ素子を制御することとした。
【００２０】
このため、発電機の出力電流が最大電力点電流より小さい場合には、スイッチ素子を制御して発電機の出力電流を増加させ、発電機の出力電流が最大電力点電流より大きい場合には、スイッチ素子を制御して発電機の出力電流を減少させる。これによれば、発電機の出力電流を最大電力点電流に近づけることができ、最大電力点に発電機の出力電力を追従させることができる。
【発明の効果】
【００２１】
本発明によれば、発電機の電流を計測する手段を備えることなく、発電機の出力電流を求めることができ、電力変換装置の小型化、軽量化、および低コスト化を実現できる。
【図面の簡単な説明】
【００２２】
【図１】本発明の一実施形態に係る電力変換装置を備える電力供給システムの回路図である。
【図２】前記電力変換装置の回路図である。
【図３】前記電力変換装置が備える制御部のブロック図である。
【図４】発電機の回転数、出力電圧、および出力電流の関係を示す図である。
【図５】前記発電機の回転数、出力電力、および出力電流の関係を示す図である。
【図６】前記発電機の回転数および最大電力点電流の関係を示す図である。
【図７】前記制御部によるデューティ比設定処理を示すフローチャートである。
【発明を実施するための形態】
【００２３】
以下、本発明の実施形態について図面を参照しながら説明する。なお、以下の実施形態における構成要素は適宜、既存の構成要素などとの置き換えが可能であり、また、他の既存の構成要素との組合せを含む様々なバリエーションが可能である。したがって、以下の実施形態の記載をもって、特許請求の範囲に記載された発明の内容を限定するものではない。
【００２４】
［電力供給システムＡの構成］
図１は、本発明の一実施形態に係る電力変換装置１を備える電力供給システムＡの回路図である。電力供給システムＡは、電力変換装置１、発電機２、および負荷３を備える。
【００２５】
発電機２は、いわゆる三相交流発電機であり、回転数検出部２１を備える。回転数検出部２１は、発電機２の回転数を検出するものであり、例えばロータリーエンコーダを含んで構成される。
【００２６】
負荷３は、バッテリであり、供給される直流電力を蓄える。
【００２７】
電力変換装置１は、発電機２および負荷３に接続され、発電機２で発電された交流電力を直流電力に整流して、負荷３に供給する。ここで、便宜上、図１に示すように、電力変換装置１と発電機２との接点を接点Ｍ１、Ｍ２、Ｍ３、Ｍ４とし、電力変換装置１と負荷３との接点を接点Ｎ１、Ｎ２とする。また、発電機２で発電された交流電力は、接点Ｍ１〜Ｍ３を介して電力変換装置１に供給され、回転数検出部２１で検出された発電機２の回転数は、接点Ｍ４を介して電力変換装置１に送信されるものとする。
【００２８】
［電力変換装置１の構成］
図２は、電力変換装置１の回路図である。電力変換装置１は、発電機２で発電された交流電力を直流電力に整流する整流部１１と、整流部１１を介して発電機２と負荷３とを断続するスイッチ素子Ｑと、スイッチ素子Ｑを制御する制御部１２と、を備える。
【００２９】
スイッチ素子Ｑは、ＮチャネルＭＯＳＦＥＴで構成され、ドレインには、整流部１１を介して接点Ｍ１〜Ｍ３が接続され、ソースには、接点Ｎ１が接続され、ゲートには、制御部１２が接続される。スイッチ素子Ｑがオン状態の場合には、発電機２で発電された交流電力が整流部１１で直流電力に整流され、オン状態のスイッチ素子Ｑを介して負荷３に供給される。一方、スイッチ素子Ｑがオフ状態の場合には、負荷３への直流電力の供給が停止される。
【００３０】
制御部１２は、スイッチ素子Ｑのゲートに加えて、スイッチ素子Ｑのドレインと、接点Ｍ４と、に接続される。ここで、整流部１１から出力される直流電力、すなわち発電機２で発電された交流電力を整流部１１により整流したものを、発電機２の出力電力と呼ぶこととする。すると、制御部１２は、接点Ｍ４を介して回転数検出部２１から送信される発電機２の回転数と、後述の電圧計測部１２２によりスイッチ素子Ｑのドレインにおいて計測される発電機２の出力電圧と、を用いて、スイッチ素子Ｑを制御する。
【００３１】
［制御部１２の構成］
図３は、制御部１２の構成を示すブロック図である。制御部１２は、回転数取得手段としての回転数取得部１２１と、電圧計測手段としての電圧計測部１２２と、記憶手段としての記憶部１２３と、電流導出手段としての電流導出部１２４と、制御手段としてのデューティ比設定部１２５およびスイッチ素子制御部１２６と、を備える。
【００３２】
回転数取得部１２１は、回転数検出部２１で検出された発電機２の回転数を、接点Ｍ４を介して取得する。電圧計測部１２２は、スイッチ素子Ｑのドレインの電圧を計測することで、整流部１１から出力される直流電圧、すなわち発電機２の出力電圧を計測する。
【００３３】
ここで、図４に示すように、発電機２には、出力電流が増加するに従って出力電圧が低下するという電流電圧特性があり、この電流電圧特性は、発電機２の回転数に応じて変化する。すなわち、発電機２の回転数と、発電機２の出力電圧と、発電機２の出力電流と、の間には、相関関係がある。そして、発電機２の回転数と、発電機２の出力電圧と、発電機２の出力電流と、の３つのうち２つが分かれば、上述の相関関係を用いることで、残りの１つを一意に求めることができる。
【００３４】
そこで、記憶部１２３は、発電機２の回転数と、発電機２の出力電圧と、発電機２の出力電流と、の相間関係を示す第１の情報を記憶する。ここで、第１の情報とは、発電機２の回転数と、発電機２の出力電圧と、を変化させたときの発電機２の出力電流を予め計測し、マッピングしたデータのことである。
【００３５】
また、図５に示すように、発電機２には、出力電流が最大電力点電流より小さい場合には、出力電流が増加するに従って出力電力が増加し、出力電流が最大電力点電流より大きい場合には、出力電流が増加するに従って出力電力が減少するという電流電力特性がある。そして、この電流電力特性は、発電機２の回転数に応じて変化する。さらに、発電機２の回転数と、発電機２の最大電力点電流と、の間には、図６に示す関係がある。このため、発電機２の回転数と、発電機２の最大電力点電流と、のうちいずれか一方が分かれば、他方を一意に求めることができる。
【００３６】
そこで、記憶部１２３は、上述の第１の情報に加えて、発電機２の回転数と、発電機２の最大電力点電流と、の関係を示す第２の情報も記憶する。ここで、第２の情報とは、発電機２の回転数を変化させたときの発電機２の最大電力点電流を、予めマッピングしたデータのことである。
【００３７】
なお、図５、６において、Ｐａ、Ｐｂ、Ｐｃのそれぞれは、発電機２の回転数がＲａ、Ｒｂ、Ｒｃ（Ｒａ＜Ｒｂ＜Ｒｃ）のそれぞれの場合における発電機２の最大電力点を示し、Ｉａ、Ｉｂ、Ｉｃのそれぞれは、発電機２の最大電力点Ｐａ、Ｐｂ、Ｐｃのそれぞれにおける最大電力点電流を示す。
【００３８】
電流導出部１２４は、記憶部１２３に記憶された第１の情報を参照して、回転数取得部１２１により取得された発電機２の回転数と、電圧計測部１２２により計測された発電機２の出力電圧と、から発電機２の出力電流を一意に求める。ここで、例えば、回転数取得部１２１により取得された発電機２の回転数を第１回転数とし、電圧計測部１２２により計測された発電機２の出力電圧を第１出力電圧とする。すると、第１回転数で回転して第１出力電圧を出力している発電機２において、この発電機２から出力される電流が、電流導出部１２４により求められることとなる。
【００３９】
また、電流導出部１２４は、記憶部１２３に記憶された第２の情報を参照して、回転数取得部１２１により取得された発電機２の回転数から、発電機２の最大電力点電流を一意に求める。ここで、例えば、回転数取得部１２１により取得された発電機２の回転数を第２回転数とする。すると、第２回転数における発電機２の最大電力点での電流が、電流導出部１２４により求められることとなる。
【００４０】
デューティ比設定部１２５は、スイッチ素子Ｑのデューティ比を設定する。スイッチ素子制御部１２６は、デューティ比設定部１２５により設定されたデューティ比に基づいてスイッチ素子Ｑを制御することで、発電機２の出力電力を最大電力点に追従させる。
【００４１】
［制御部１２の動作］
図７は、制御部１２により行われるデューティ比設定処理を示すフローチャートである。
【００４２】
ステップＳ１において、回転数取得部１２１により、発電機２の回転数を取得し、ステップＳ２に移る。
【００４３】
ステップＳ２において、電流導出部１２４により、発電機２の回転数から発電機２の最大電力点電流を求め、ステップＳ３に移る。具体的には、記憶部１２３に記憶された上述の第２の情報を参照し、ステップＳ１において取得した発電機２の回転数から、発電機２の最大電力点電流を求める。
【００４４】
ステップＳ３において、電圧計測部１２２により、発電機２の出力電圧を計測し、ステップＳ４に移る。
【００４５】
ステップＳ４において、電流導出部１２４により、発電機２の回転数と、発電機２の出力電圧と、から発電機２の出力電流を求め、ステップＳ５に移る。具体的には、記憶部１２３に記憶された上述の第１の情報を参照し、ステップＳ１において取得した回転数と、ステップＳ３において計測した出力電圧と、から発電機２の出力電流を求める。
【００４６】
例えば、ステップＳ１において取得した回転数がＲ１で、ステップＳ３において計測した出力電圧がＶ１である場合には、図４に示すように、発電機２の出力電流はＩ１であると求めることができる。また、ステップＳ１において取得した回転数がＲ３で、ステップＳ３において計測した出力電圧がＶ３である場合には、図４に示すように、発電機２の出力電流はＩ３であると求めることができる。
【００４７】
ステップＳ５において、デューティ比設定部１２５により、ステップＳ４において求めた発電機２の出力電流が、ステップＳ２において求めた発電機２の最大電力点電流より大きいか否かを判別する。そして、大きいと判別した場合にはステップＳ９に移り、大きくないと判別した場合にはステップＳ６に移る。
【００４８】
ここで、図５に示したように、発電機２の出力電流が最大電力点電流に等しい場合に、発電機２の出力電力が最大となる。一方、発電機２の出力電流が最大電力点電流より小さい場合には、発電機２の出力電流を増加させることで、発電機２の出力電流を最大電力点電流に近づけることができる。また、発電機２の出力電流が最大電力点電流より大きい場合には、発電機２の出力電流を減少させることで、発電機２の出力電流を最大電力点電流に近づけることができる。そして、発電機２の出力電流は、スイッチ素子Ｑのデューティ比が増加するに従って増加し、スイッチ素子Ｑのデューティ比が減少するに従って減少する。ここで、スイッチ素子Ｑのデューティ比とは、スイッチ素子Ｑがオン状態である期間をオン期間とすると、スイッチ素子Ｑのスイッチング周期に対するオン期間の比のことである。
【００４９】
そこで、制御部１２は、発電機２の出力電流が最大電力点電流より大きい場合には、後述のステップＳ９〜Ｓ１１によりスイッチ素子Ｑのデューティ比を減少させることで、発電機２の出力電流を減少させて、発電機２の出力電流を最大電力点電流に近づける。一方、発電機２の出力電流が最大電力点電流より小さい場合には、後述のステップＳ６〜Ｓ８によりスイッチ素子Ｑのデューティ比を増加させることで、発電機２の出力電流を増加させて、発電機２の出力電流を最大電力点電流に近づける。
【００５０】
ステップＳ６において、デューティ比設定部１２５により、目標電流から発電機２の出力電流を減算し、差分電流Ｉｄｉｆとし、ステップＳ７に移る。具体的には、ステップＳ２において求めた最大電力点電流を目標電流とし、この目標電流から、ステップＳ４において求めた発電機２の出力電流を減算し、差分電流Ｉｄｉｆとする。これによれば、発電機２の出力電流が最大電力点電流と比べてどれだけ小さいのかを、求めることができる。
【００５１】
ステップＳ７において、デューティ比設定部１２５により、ステップＳ６において求めた差分電流Ｉｄｉｆを用いて、スイッチ素子Ｑのデューティ比の補正値ΔＤを算出し、ステップＳ８に移る。具体的には、以下の式（１）に差分電流Ｉｄｉｆを代入して、スイッチ素子Ｑのデューティ比の補正値ΔＤを算出する。なお、式（１）において、Ｋ０およびＫ１のそれぞれは、予め定められた変数である。
【００５２】
【数１】
0005634105.tif 000002
【００５３】
ステップＳ８において、デューティ比設定部１２５により、ステップＳ７において算出した補正値ΔＤを、スイッチ素子Ｑのデューティ比に加算して、スイッチ素子Ｑのデューティ比として新たに設定し、デューティ比設定処理を終了する。これによれば、スイッチ素子Ｑのデューティ比が更新され、発電機２の出力電流が最大電力点電流よりどれだけ小さいかに応じて決定される補正値ΔＤだけ、スイッチ素子Ｑのデューティ比が増加することとなる。
【００５４】
ステップＳ９において、デューティ比設定部１２５により、目標電流から発電機２の出力電流を減算し、差分電流Ｉｄｉｆとし、ステップＳ１０に移る。具体的には、ステップＳ２において求めた最大電力点電流を目標電流とし、この目標電流から、ステップＳ４において求めた発電機２の出力電流を減算し、差分電流Ｉｄｉｆとする。これによれば、発電機２の出力電流が最大電力点電流と比べてどれだけ大きいのかを、求めることができる。
【００５５】
ステップＳ１０において、デューティ比設定部１２５により、ステップＳ９において求めた差分電流Ｉｄｉｆを用いて、スイッチ素子Ｑのデューティ比の補正値ΔＤを算出し、ステップＳ１１に移る。具体的には、上述のステップＳ７と同様に、上述の式（１）に差分電流Ｉｄｉｆを代入して、スイッチ素子Ｑのデューティ比の補正値ΔＤを算出する。
【００５６】
ステップＳ１１において、デューティ比設定部１２５により、ステップＳ１０において算出した補正値ΔＤを、スイッチ素子Ｑのデューティ比から減算して、スイッチ素子Ｑのデューティ比として新たに設定し、デューティ比設定処理を終了する。これによれば、スイッチ素子Ｑのデューティ比が更新され、発電機２の出力電流が最大電力点電流よりどれだけ大きいかに応じて決定される補正値ΔＤだけ、スイッチ素子Ｑのデューティ比が減少することとなる。
【００５７】
以上の電力変換装置１によれば、以下の効果を奏することができる。
【００５８】
電力変換装置１は、発電機２の回転数と、発電機２の出力電圧と、を変化させたときの発電機２の出力電流を予め計測してマッピングしたデータを、記憶部１２３で記憶する。そして、このデータを電流導出部１２４により参照し、回転数取得部１２１により取得した発電機２の回転数と、電圧計測部１２２により計測した発電機２の出力電圧と、から発電機２の出力電流を求める。このため、電流検出ＩＣ（Ｉｎｔｅｇｒａｔｅｄ  Ｃｉｒｃｕｉｔ）や電流検出回路といった、発電機２の電流を計測する手段を設けることなく、発電機２の出力電流を求めることができる。したがって、電力変換装置１の小型化、軽量化、および低コスト化を実現できる。
【００５９】
ここで、上述の特許文献１に示されているような従来の電力変換装置は、発電機の最大電力点電流を求める場合、発電機の出力電力を求める第１手順と、発電機の出力電流を所定値だけ増加させる第２手順と、を繰り返す。そして、前回求めた発電機の出力電力と比べて、今回求めた発電機の出力電力が小さくなると、上述の第１手順と第２手順との繰り返しを終了し、前回の発電機の出力電流を、最大電力点電流とする。このため、従来の電力変換装置では、上述のように第１手順と第２手順とを繰り返す時間が必要となり、最大電力点電流を求めるのに時間がかかっていた。
【００６０】
これに対して、電力変換装置１は、発電機２の回転数を変化させたときの発電機２の最大電力点電流を予めマッピングしたデータを、記憶部１２３で記憶する。そして、このデータを電流導出部１２４により参照し、回転数取得部１２１により取得した発電機２の回転数から、発電機２の最大電力点電流を求める。このため、上述の第１手順と第２手順とを繰り返す必要がないため、発電機２の最大電力点電流を迅速に求めることができる。
【００６１】
また、電力変換装置１は、発電機２の出力電流が最大電力点電流より小さい場合には、発電機２の出力電流を増加させることで、発電機２の出力電流を最大電力点電流に近づける。また、発電機２の出力電流が最大電力点電流より大きい場合には、発電機２の出力電流を減少させることで、発電機２の出力電流を最大電力点電流に近づける。以上によれば、発電機２の出力電流を最大電力点電流に近づけることができ、最大電力点に発電機２の出力電力を追従させて、発電機２の発電効率を向上できる。
【００６２】
また、電力変換装置１は、発電機２の出力電流が最大電力点電流と比べてどれだけ小さいまたは大きいかに応じて、すなわち発電機２の出力電流が最大電力点電流からどれだけ離れているかに応じて、スイッチ素子Ｑのデューティ比の補正値ΔＤを算出する。このため、例えば、上述の式（１）の変数Ｋ０、Ｋ１を調整することで、発電機２の出力電流が最大電力点電流から離れるに従って補正値ΔＤを大きくする。これによれば、発電機２の出力電流が最大電力点電流から大きく離れている場合には、補正値ΔＤが大きくなり、発電機２の出力電流の変化が大きくなるので、発電機２の出力電流が最大電力点電流と等しくなるまでの時間を短縮できる。また、発電機２の出力電流が最大電力点電流からに近い場合には、補正値ΔＤが小さくなり、発電機２の出力電流の変化が小さくなるので、発電機２の出力電流が最大電力点電流から大幅に乖離するのを防止できる。
【００６３】
本発明は、上述の実施形態に限定されるものではなく、この発明の要旨を逸脱しない範囲内で様々な変形や応用が可能である。
【００６４】
例えば、上述の実施形態では、発電機２は、三相交流発電機としたが、これに限らず、発電する発電機であればよい。
【００６５】
また、上述の実施形態では、負荷３は、バッテリとしたが、これに限らず、電力変換装置１から供給される電力で駆動されるものであればよい。
【００６６】
また、上述の実施形態では、スイッチ素子Ｑは、ＮチャネルＭＯＳＦＥＴで構成されるものとしたが、これに限らず、例えばＩＧＢＴ（Ｉｎｓｕｌａｔｅｄ  Ｇａｔｅ  Ｂｉｐｏｌａｒ  Ｔｒａｎｓｉｓｔｏｒ）で構成されるものとしてもよい。
【００６７】
また、例えば、上述の実施形態では、スイッチ素子Ｑのデューティ比の補正値ΔＤを、発電機２の出力電流が最大電力点電流からどれだけ離れているかに応じて算出することとしたが、これに限らない。例えば、スイッチ素子Ｑのデューティ比の補正値ΔＤを、予め定められた固定値としてもよい。
【００６８】
また、上述の実施形態では、発電機２の出力電流が最大電力点電流より大きい場合と、大きくない場合と、の双方において、発電機２の出力電流と、発電機２の最大電力点電流と、を用いてスイッチ素子Ｑのデューティ比を更新したが、これに限らない。例えば、発電機２の出力電流が最大電力点電流より大きくない場合には、発電機２の出力電流と、発電機２の最大電力点電流と、のそれぞれの代わりに、電力変換装置１から負荷３に供給される負荷電圧と、発電機２の最大電力点電圧と、をそれぞれ用いて、スイッチ素子Ｑのデューティ比を更新してもよい。ここで、負荷電圧は、接点Ｎ１の電圧を計測することで求めることができる。一方、発電機２の最大電力点電圧は、記憶部１２３に記憶された上述の第１の情報を参照し、ステップＳ１において取得した回転数と、ステップＳ２において求めた最大電力点電流と、から求めることができる。
【００６９】
また、上述の実施形態では、発電機２の回転数を取得するために、回転数検出部２１を発電機２に設けるとともに、回転数取得手段としての回転数取得部１２１を電力変換装置１に設けたが、これに限らない。例えば、回転数取得手段としての回転数導出部を電力変換装置１に設け、この回転数導出部により、発電機２から出力される３相の電圧の相間電圧を計測し、計測した相間電圧の周波数から発電機２の回転数を取得してもよい。
【００７０】
また、発電機２の回転数に応じて、目標電圧Ｖｒｅｆや、上述の式（１）の変数Ｋ０、Ｋ１を設定してもよい。これによれば、発電機２の回転数に応じて、スイッチ素子Ｑのデューティ比の増加値および減少値を設定できるので、発電機２の発電効率を向上できる。
【符号の説明】
【００７１】
１；電力変換装置
２；発電機
３；負荷
１１；整流部
１２；制御部
１２１；回転数取得部
１２２；電圧計測部
１２３；記憶部
１２４；電流導出部
１２５；デューティ比設定部
１２６；スイッチ素子制御部
Ａ；電力供給システム
Ｑ；スイッチ素子
【図１】
0005634105.tif 000003
【図２】
0005634105.tif 000004
【図３】
0005634105.tif 000005
【図４】
0005634105.tif 000006
【図５】
0005634105.tif 000007
【図６】
0005634105.tif 000008
【図７】
0005634105.tif 000009